(57)【特許請求の範囲】
【請求項１】
頭部に被るベースの表側に頭髪全体を構成したかつらにおいて、前記ベースの頂部から後方に沿って形修正パッドを保持させるパッド装着部を設け、そのパッド装着部に、前記形修正パッドを着脱可能としたことを特徴とするかつら。
【請求項２】
前記パッド装着部を、前記ベースの頂部から後方に沿って形成されたポケットとし、そのパッド装着部のポケット空間を、前記形修正パッドが外されたかつら装着状態で潰れるようにした請求項１に記載のかつら。
【請求項３】
前記ベースの裏側に前記パッド装着部を設け、前記ポケット空間内にポケット口を開閉する係合具を位置させた請求項２に記載のかつら。
【請求項４】
前記ベースを、毛を付けたキャップ状の表張りと、この表張りの裏側に着脱自在に留め合わせるキャップ状の裏張りとで構成し、前記裏張りに前記パッド装着部を設けた請求項１から３のいずれか１つに記載のかつら。
【発明の詳細な説明】
【技術分野】
【０００１】
この発明は、頭部に被るベースを有するかつらに関する。
【背景技術】
【０００２】
この種のかつらは、ベースの表側に頭髪全体が構成されている。ベースは、ネット、人工皮膚等を適宜に用いて形成されており、頭部形状に追従する柔軟性を有している。このため、ベースを頭部に被ると、そのかつらの重みでベースが頭部に概ね沿うようになっている。
【０００３】
ベースと頭部のフィット性が特に重視される場合、個人の頭部形状に適合させたベースがオーダメイドされるが、高価である。それ故、抗がん剤の投薬治療に伴う副作用のように、頭髪が一時的に脱毛することで悩む人々からすれば、かつらをオーダーメイドすることに躊躇いがある。近年では、こういった人々が利用し易いよう、所定のベースの形状、サイズ、髪形で展開された既製品のかつらも多数提供されている。
【０００４】
頭に被るベースは、キャップ状に形成されるが、既製品のかつらを利用する場合、予め決められた種類の中から選択することになり、ベースを個人の頭部形状に適合させることに限界がある。
また、頭髪が一時的に脱毛する場合、頭髪量や頭髪の存在する部位が変動するため、安定した装着を得ることは、オーダーメイドのかつらでも困難であり、既製品のかつらの場合は尚更である。
【０００５】
そこで、従来から、ベースの下端縁を締める調節具が設けられている。調節具でベース下端縁を内側に締めれば、ベースの下端縁と頭部間のすき間を適宜に無くし、乃至は狭くして、かつら装着時の安定性を高めることが可能になっている（例えば、特許文献１、２）。
【０００６】
【特許文献１】特開平６−２２０７０８号公報
【特許文献２】特開２００４−３５３１２７号公報
【発明の開示】
【発明が解決しようとする課題】
【０００７】
しかしながら、頭部形状に個人差があり、特に、後頭部の形状において個人差が顕著に生じる。既製品のベースにおいては、相似形でサイズ展開されるため、頭部に頭髪がない全脱毛状態においてかつらの選択を行なっても、ベースと後頭部の形状不一致が見受けられる。後頭部とベースとの間にすき間があると、ベースが陥没し、ベースの表側に構成された髪形が後頭部付近で局所的に崩れ、かつらの見映えが悪くなることが見受けられる。
さらに、既製品かオーダーメイドかによらず、また、一時的な脱毛現象か恒久的な脱毛現象かによらず、自毛状態に変動が生じた結果、使用しているかつらのベースと後頭部との間に浮きが生じて陥没することもある。
前掲の特許文献１、２のように、ベースの下端縁を調節具で締めたとしても、ベースの頂部と下端縁間の中間部に生じるすき間を十分に解消することはできず、かつらの交換を強いられている現状がある。
【０００８】
上記の事情に鑑み、この発明の課題は、頭部に被るベースが後頭部付近で陥没する場合に、かつらを交換することなくその陥没を防止することにある。
【課題を解決するための手段】
【０００９】
上記の課題を解決するため、この発明は、頭部に被るベースの表側に頭髪全体を構成したかつらにおいて、前記ベースの頂部から後方に沿って形修正パッドを保持させるパッド装着部を設け、そのパッド装着部に、前記形修正パッドを着脱可能とした構成を特徴とするものである。
【００１０】
具体的には、頭部に被るベースは、キャップ状に形成されるので、そのベースの頂部から後方に沿った領域は、後頭部に被さる部分となっている。
形修正パッドは、かつらと別途に、厚み、柔軟性、面積、形状等を適宜に用意することができる。
前記ベースの頂部から後方に沿って形修正パッドを保持させるパッド装着部を設け、そのパッド装着部に、前記形修正パッドを着脱可能とすれば、頭部に被るベースが後頭部付近で陥没する場合に、頭部形状の個人差や自毛状態に応じて最適な形修正パッドを見つけ出し、ベースの頂部から後方に沿って保持させることにより、その陥没を防止することができる。
【００１１】
前記パッド装着部を、前記ベースの頂部から後方に沿って形成されたポケットとし、そのパッド装着部のポケット空間を、前記形修正パッドが外されたかつら装着状態で潰れるようにした構成を採用することが好ましい。
前記パッド装着部を、前記ベースの頂部から後方に沿って形成されたポケットとすれば、形修正パッドをポケット空間に入れてベースの頂部から後方に沿って保持させることができ、また、形修正パッドをポケット空間から抜き取ることもできる。そのパッド装着部のポケット空間を、前記形修正パッドが外されたかつら装着状態で潰れるようにすれば、形修正パッドを外してかつらを装着する場合、ベースが頭部に沿う変形は、パッド装着部により阻害されない。したがって、ポケット空間の容量や後頭部カバー面積を大きく形成し易い。これらを大きくする程、形修正パッドの面積、形状等の選択範囲が広がり、後頭部付近の陥没をより防止し易くなる利点がある。
【００１２】
ここで、前記ベースの裏側に前記パッド装着部を設け、前記ポケット空間内にポケット口を開閉する係合具を位置させた構成を採用することができる。ベースの表側に頭髪全体が構成されるため、ベースを一部材品に設けたい場合、前記パッド装着部をベースの裏側に設けることになる。ポケット口を開閉する係合具を設けると、ポケット口を閉じることでポケット空間内の前記形修正パッドの保持位置を安定させることができる。その係合具をポケット空間内に位置させておけば、係合具が頭部に直接に触れることを避けることができ、ひいては、係合具で頭皮が傷付くことを防止することができる。
【００１３】
前記ベースを、毛を付けたキャップ状の表張りと、この表張りの裏側に着脱自在に留め合わせるキャップ状の裏張りとで構成し、前記裏張りに前記パッド装着部を設けた構成にすれば、パッド装着部が汚れても、表張りと分離して裏張りごと洗浄することが可能となり、表張りの型崩れを防止することができる。
【発明の効果】
【００１４】
上述のように、この発明に係るかつらは、頭部に被るベースが後頭部付近で陥没する場合に、頭部形状の個人差や自毛状態に応じて最適な形修正パッドを見つけ出し、ベースの頂部から後方に沿って保持させることが可能なため、かつらを交換することなく、その陥没を防止することができる。
【発明を実施するための最良の形態】
【００１５】
以下、この発明の第１実施形態を添付図面に基づいて説明する。
図１は、第１実施形態に係るかつらを、頭部に装着した状態で該かつらの左側面を部分的に切り欠いて示している。図２は、第１実施形態に係るかつらを裏返した状態で後方右斜め上方から視た様子を示している。
【００１６】
図１、図２に示すように、第１実施形態に係るかつらは、頭部に被るベース１の表側に頭髪全体を構成したものである。
【００１７】
このベース１は、ネット材で形成された表張り１１と裏張り１２とを重ねたキャップ体になっており、頭部形状に沿って変形する柔軟性を十分に有している。頭髪全体は、表張り１１に毛を植え付けることで構成されている。裏張り１２は、表張り１１に植え付けた毛の結び目が頭皮に直接に当り難くする。なお、ベース１の素材は、上記の柔軟性が得られるものであればよく、人工皮膚、布等を単独で、又はこれらとネット材とを併用して形成することもできる。
【００１８】
ベース１は、かつらを既製品として展開するため、球面キャップ状に形成されている。すなわち、自毛がある状態でベース１を被る場合、その自毛をベース１の外に出すことが求められるため、ベース１の下端縁と頭部との間に、すき間が意図的に形成される。ベース１を球面キャップ状に形成しておけば、頭部が個人差により前後又は左右のどちらに長さを有する場合でも、ベース１の下端縁の左右側端部又は前後端部との間にすき間が得られるので、既製品展開に都合がよい。
【００１９】
このベース１では、裏張り１２の裏面側（すなわち、頭部に接する面側）の前端部と後端部に、自毛を挟む装着クリップ１３、１３が取り付けられている。装着クリップ１３、１３には、自毛の挟持・開放が可能な周知のものが利用されている。装着クリップ１３、１３を前後に配置したのは、東洋人の頭部が左右に長いことが多く、既製品とした場合、ベース１の下端縁前後端部と頭部間にすき間が生じ易いからである。
【００２０】
ベース１の裏面側に、ベース１の下端縁を締める調節具１４が設けられている。調節具１４としては、裏張り１２の両側に分けて一対の弾性ベルト１４ａ、１４ａの一端を取り付け、一対の弾性ベルト１４ａ、１４ａの他端部を係合させられるものが利用されている。両ベルト１４ａ、１４ａは、平行するベースの下端縁長より十分に短い長さとなっている。このため、ベース１を頭部に被った状態で弾性ベルト１４ａ、１４ａの他端部を係合させると、弾性収縮力を生じ、ベース１の下端縁を締めるようになっている。なお、調節具１４としては、ベルトとバックルの締め付けによるものなど、他の周知の構成のものを利用することもできる。
【００２１】
ベース１は、頭部に被ると、全体として頭部に対して後傾した装着状態となるように設けられている。これは、ベース１の下端縁が額に目立つことがないようにするためである。このように後傾した装着状態であっても、装着クリップ１３、１３、調節具１４を適宜に利用することにより、ベース１の装着を安定させることができる。
【００２２】
裏張り１２の裏面に、ベース１の頂部ｔから後方に沿って形修正パッド２を保持させるパッド装着部１５が設けられている。
【００２３】
パッド装着部１５は、ベース１の頂部ｔから後方に沿って形成されたポケットとされている。このパッド装着部１５は、ネット材１５ｂの周縁左右後端部を裏張り１２の裏面側に合わせることで形成されており、前方に向けてポケット口が開放するポケット空間１５ａを有している。ポケット空間１５ａのポケット口は、ベース１の頂部ｔより前側に寄せた中間位置にあり、形修正パッド２をポケット口からベース１に沿って挿入することにより、ベース１の頂部ｔから後方に沿って形修正パッド２を保持させることができる。
【００２４】
裏張り１２の裏面側とネット材１５ｂとに、互いを留め合わせる係合具１６が取り付けられている。係合具１６は係合・係合解除が自在のものであり、ポケット空間１５ａのポケット口を開閉することが可能になっている。なお、係合具１６としては、面ファスナが利用されている。係合具１６は、スナップボタンでもよいが、柔軟性を有する点で面ファスナが好ましい。
【００２５】
裏張り１２の裏面側とネット材１５ｂとに係合具１６を設ければ、係合具１６がポケット空間１５ａ内に位置するため、頭部に強く接触することを防止することができる。
【００２６】
パッド装着部１５に保持させた形修正パッド２は、係合具１６でポケット口を閉じることにより、ベース１の前側への移動を制限されるので、形修正パッド２の保持位置が安定させられる。係合具１６の係合を解除すれば、形修正パッド２をパッド装着部１５から離脱させることが可能である。
【００２７】
図１、図３に示すように、仮にベース１が頭部形状に適合する場合、形修正パッド２を利用する必要はない。このように形修正パッド２が外れた状態でベース１を頭部に被ったとしても、ネット材１５ｂで形成されたポケット空間１５ａは、ベース１側の重みで容易に潰れることができる。したがって、ベース１が頭部に沿うことは、パッド装着部１５により阻害されない。
【００２８】
パッド装着部１５をポケットで構成する場合、上記のようにネット材１５ｂでポケット空間１５ａを形成すれば、内部の通気性を確保することができ、形修正パッド２に吸湿性を与えることが可能になる。
【００２９】
なお、図１、図２に示すように、パッド装着部１５は、ベース１の下端縁から頂部ｔ側に離して設けられている。これは、形修正パッド２をパッド装着部１５に保持させた状態でも、調節具１４でベース１の下端縁を締め易くするためである。
【００３０】
形修正パッド２は、ベース１と後頭部との間で、ベース１に沿って介在する当て物を適宜に選択して用いればよい。形修正パッド２がベース１に沿って介在しないと、形修正パッド２によって髪形が局所的に崩れるからである。
【００３１】
この形修正パッド２は、ウレタンマットを布袋に封入したものが利用されている。これは、形修正パッド２に対して、ベース１側からの重みでベース１及び頭部形状に沿う柔軟性を与え、形修正パッド２によるベース１の陥没防止と共に、形修正パッド２と頭部形状とのフィット性を高めるためである。
【００３２】
形修正パッド２は、これ自体の形状をベース１に沿うように形成すること、これ自体の柔軟性によることのいずれでも、ベース１に沿って介在させることができる。形修正パッド２の自体の形状によれば、多サイズ、多形状の展開で形修正パッド２を用意する必要があるが、形修正パッド２の柔軟性によれば、個人差が柔軟性で吸収されるので、形修正パッド２の展開数を比較的に少なくすることができる。
【００３３】
なお、この形修正パッド２は、この前端部と、これより後側の部分との境に折り目２１が形成されている。この折り目２１は、形修正パッド２をパッド装着部１５に保持させた状態で、概ねベース１の頂部ｔの付近に位置するようになっており、ベース１側からの重みで形修正パッド２がベース１及び頭部形状に沿い易くする。
【００３４】
ネット材１５ｂや形修正パッド２に対して、適宜に抗菌性を付与したり、吸湿性を付与したりすることが好ましいのは勿論である。
【００３５】
この第１実施形態に係るかつらは、上記の構成を有するものであり、形修正パッド２をパッド装着部１５から外した状態でベース１を頭部に被り、図３に示すように、パッド装着部１５のポケット空間１５ａが潰れて後頭部付近に陥没が生じない場合は、図１に示す形修正パッド２を使用することなく、そのままかつらを装着することができる。
形修正パッド２をパッド装着部１５から外した状態で後頭部付近に陥没が生じる場合は、図２に示すように、ベース１を裏返してパッド装着部１５の係合具１６を外し、図４に示すように、パッド装着部１５のポケット空間１５ａに適宜の形修正パッド２を入れて係合具１６を係合させ、これにより、形修正パッド２をベース１に沿って保持させる。その状態でベース１を頭部に被り、それでも陥没する場合は、別の形修正パッド２をパッド装着部１５に保持させて頭部に被ることを繰り返すことにより、図１に示すように、陥没が生じない最適な形修正パッド２を見つけ出すことができる。したがって、この第１実施形態に係るかつらは、かつらを交換することなく、後頭部付近に生じるベース１の陥没を防止することができる。
【００３６】
なお、ベース１の前頭部に被さる部分が陥没すると、見映えが著しく悪くなることから、そのようなことが起こるかつらの選択は行なわれない。また、後頭部の形状の個人差は、前頭部より顕著に生じる。このため、通常、ベース１が後頭部付近で陥没しないようにすれば十分である。ベース１の前頭部に被さる部分や側頭部に被さる部分に、比較的に薄手の形修正パッドを保持させられるようにするため、適宜に補助的なパッド装着部を設けることも可能である。その一例として、この発明の第２実施形態を図５、図６に基づいて説明する。なお、以下では、上記第１実施形態との相違点を中心に述べ、同一に考えられる構成に同符号を用いる。
【００３７】
図５は、第２実施形態に係るかつらの全体構成を示す分解斜視図である。
図５に示すように、第２実施形態に係るかつらのベースは、毛を付けたキャップ状の表張り３と、この表張り３の裏側に着脱自在に留め合わせるキャップ状の裏張り４とで構成し、裏張り４にパッド装着部４１を設けたものとなっている。
【００３８】
表張り３の裏面側の下端縁近傍に、面ファスナ３１が前後左右に設けられ、さらに、表張り３の裏面側の頂部にも面ファスナ３１が設けられている。
一方、裏張り４の表面側に、表張り３の各面ファスナ３１に対応する面ファスナ３１が設けられている。表張り３と裏張り４の各面ファスナ３１を係合・係合解除することにより、表張り３と裏張り４とを、互いに位置ずれしないように着脱自在に留め合わせることが可能になっている。
【００３９】
なお、裏張り４の裏面側に、シリコンゴム４２が前後左右に設けられている。シリコンゴム４２は、頭皮に対する滑り止めを人体に無害性のもので実現するために採用されている。裏張り４の表面側に、裏張り４の下端縁を締める調節具４３が設けられている。調節具４３は、ベルト４３ａとバックル４３ｂの締め付けによるものが利用されており、調節具４３を締めることにより、シリコンゴム４２がしっかりと頭部に押し付けられる。
【００４０】
パッド装着部４１は、裏張り４が着脱式のため、裏張り４の表面側に設けられている。パッド装着部４１及び裏張り４は、ネット材で形成されたポケットからなるため、装着により汚れるが、表張り３と分離して裏張り４ごと洗浄することができる。したがって、第２実施形態に係るかつらは、パッド装着部４１を手軽に洗浄することができ、また、表張り３の型崩れを防止することができる。
【００４１】
第２実施形態に係るかつらは、表張り３と裏張り４の間にパッド装着部４１が位置するため、パッド装着部４１を設けることに伴う凹凸、例えば、ポケット周縁の溶着部や縫着部と頭部との接触を避け易い利点もある。
【００４２】
さらに、第２実施形態に係るかつらは、裏張り４と側頭部との間のすき間を調整するための補助パッド装着部４４を有している。
【００４３】
補助パッド装着部４４は、面ファスナからなる。形修正パッド５に設けた面ファスナ５１と補助パッド装着部４４とを係合・係合解除させることにより、裏張り４に沿って形修正パッド５を着脱可能に保持させることができる。なお、補助パッド装着部４４をポケットから構成することも可能である。
【００４４】
補助パッド装着部４４は、裏張り４の表面側の左右両側に設けられている。したがって、第２実施形態に係るかつらは、適宜の形修正パッド５を補助パッド装着部４４に保持させることにより、かつらの装着を左右両側でバランスよく安定させることができる。なお、図５中に２点鎖線で側頭部に当る形修正パッド５を示す。
【００４５】
なお、パッド装着部４１を頂部から後方に沿って設けると共に面ファスナ３１を左右に設けた関係で、補助パッド装着部４４は、比較的に裏張り４の下端縁に近いところに小さい面積で設けることになるが、その代わり、補助パッド装着部４４として裏張り４に面ファスナを設けても、その部分が強張ってフィット性が悪化する心配はない。なお、パッド装着部４１も面ファスナから構成することも可能だが、この場合、上記の理由から可及的に面積を小さくすることが好ましい。
【図面の簡単な説明】
【００４６】
【図１】第１実施形態に係るかつらの装着状態を示す断面図
【図２】図１のかつらを裏返した状態で示す全体斜視図
【図３】図１の形修正パッドを保持させていないかつらの装着状態を示す断面図
【図４】図２の状態から形修正パッドを保持させた状態を示す全体斜視図
【図５】第２実施形態に係るかつらの分解斜視図
【図６】図５のかつらの装着状態における補助パッド装着部の付近を示す部分拡大図
【符号の説明】
【００４７】
１  ベース
２、５  形修正パッド
３、１１  表張り
４、１２  裏張り
１３  クリップ
１４、４３  調節具
１５、４１  パッド装着部
１５ａ  ポケット空間
１５ｂ  ネット材
２１  折り目
３１  面ファスナ
４２  シリコンゴム
４４  補助パッド装着部
５１  面ファスナ
【図１】
0005103116.tif 000002
【図２】
0005103116.tif 000003
【図３】
0005103116.tif 000004
【図４】
0005103116.tif 000005
【図５】
0005103116.tif 000006
【図６】
0005103116.tif 000007